(57)【要約】【課題】ケース本体に対する補強部材の位置精度を向上でき、従って、補強部材に固定されるヒンジと、ヒンジで支持されるドアを、ケース本体に対して正確に取り付けることができる冷蔵庫を提供する。【解決手段】ケース本体１の前面に、上下一対のヒンジ２７・２８で揺動開閉自在に支持されるドア３を設ける。各ヒンジ２７・２８を、ケース本体１の前端壁２２の外面に配置して、前端壁２２の内面の上下に固定した補強部材２３・２４にねじ２９で締結する。前端壁２２および補強部材２３・２４の締結座３４・３９に、それぞれ複数のリベット穴３６・３５を形成する。前端壁２２の外面側から両リベット穴３６・３５に挿通した複数個のブラインドリベット２５で、前端壁２２と締結座３４・３９とを締結して、補強部材２３・２４のケース本体１に対する締結位置精度を高度化する。【選択図】図１
2013083373.tif 000002
【特許請求の範囲】
【請求項１】
ケース本体（１）の前面に、上下一対のヒンジ（２７・２８）で揺動開閉自在に支持されるドア（３）が設けられており、
各ヒンジ（２７・２８）は、ケース本体（１）の前端壁（２２）の外面に配置されて、前端壁（２２）の内面の上下に固定した補強部材（２３・２４）にねじ（２９）で締結されており、
補強部材（２３・２４）は、前端壁（２２）の内面に接合される締結座（３４・３９）を備えており、
前端壁（２２）および締結座（３４・３９）には、それぞれ複数のリベット穴（３６・３５）が形成されており、
前端壁（２２）の外面側から両リベット穴（３６・３５）に挿通した複数個のブラインドリベット（２５）で、前端壁（２２）と締結座（３４・３９）とを締結して、補強部材（２３・２４）のケース本体（１）に対する締結位置精度が高度化してあることを特徴とする冷蔵庫。
【請求項２】
ケース本体（１）が、外箱（１１）と、外箱（１１）内に間隔をあけて収容される内箱（１２）と、両箱（１１・１２）の間の充填空間（１４）に充填される断熱材（１３）とで構成されており、
前端壁（２２）が、外箱（１１）の両側壁（４９・５０）の前端に設けた縦枠（５５・５５）と、縦枠（５５・５５）の上端どうしおよび下端どうしを繋ぐ上下一対の横枠（５２・５２）とで構成されており、
縦枠（５５）と横枠（５２）とは、それぞれの側端縁に設けた接合縁（６１・６２）どうしが前後に重なる状態で接合されて、両枠（５２・５５）の外面が面一になる状態で隣接しており、
前後に重なる前記接合縁（６１・６２）と締結座（３４・３９）とが、ブラインドリベット（２５）で締結してある請求項１に記載の冷蔵庫。
【請求項３】
下側の補強部材（２４）が、脚体（７）をねじ込むためのねじ穴（４１）を備えた底壁（３８）と、前端壁（２２）の内面に接合される締結座（３９）と、底壁（３８）の後端から上向きに折り曲げられた食込片（４０）とを一体に備えており、
補強部材（２４）は、その外面が前記断熱材（１３）で移動不能に覆われており、
脚体（７）に設けたねじ軸（４２）を、ケース本体（１）の下面側から補強部材（２４）のねじ穴（４１）にねじ込んで、脚体（７）がケース本体（１）に固定してある請求項２に記載の冷蔵庫。
【請求項４】
上側のヒンジ（２７）の締結座（３１）が、上側の補強部材（２３）の下半部にねじ（２９）で締結され、前記締結座（３１）より上側の領域で補強部材（２３）の締結座（３４）が前端壁（２２）にブラインドリベット（２５）で締結されており、
上側のヒンジ（２７）のヒンジベース（３０）、およびブラインドリベット（２５）の締結頭部（２６）の外面が、本体ケース（１）の上面から前側へ張り出した天板（８）の化粧枠部（３３）で覆われており、
下側のヒンジ（２８）の締結座（３１）が、ブラインドリベット（２５）の締結頭部（２６）の外面を覆う状態で、下側の補強部材（２４）の締結座（３９）にねじ（２９）で締結されており、
ヒンジ（２８）の締結座（３１）に、ブラインドリベット（２５）の締結頭部（２６）との接触を避ける逃げ凹部（４３）が形成してある請求項２または３に記載の冷蔵庫。
【発明の詳細な説明】
【技術分野】
【０００１】
本発明は、前面が開口するケース本体と、ケース本体の前面開口を開閉するドアとを備える冷蔵庫に関する。ドアは、ケース本体に設けた上下一対のヒンジで揺動自在に支持してある。
【背景技術】
【０００２】
この種の冷蔵庫は、例えば特許文献１に公知である。そこでは、ケース本体の前面上部における外箱の内面側に左右一対の補強部材を配置し、この補強部材の上板にドアを支持するヒンジが、外箱の頂板を介してボルトで固定されている。補強部材は、上板と前板とで側面視Ｌ字状に形成されており、補強部材の前板が外箱の上フランジおよび側部フランジにねじで固定されている。
【先行技術文献】
【特許文献】
【０００３】
【特許文献１】特開平０８−２３３４４５号公報（段落番号００２３〜００２５、図１、図２）
【発明の概要】
【発明が解決しようとする課題】
【０００４】
特許文献１の冷蔵庫のように、補強部材をねじでケース本体に固定する締結構造では、多くの場合、ケース本体に設けるねじ挿通穴の径がねじ径よりも大きく形成される。そのため、補強部材をケース本体に固定した状態において、ねじとねじ挿通穴の直径差の分だけ、補強部材がケース本体に対して位置ずれするおそれがある。補強部材が位置ずれすると、これに固定されるヒンジや、ヒンジで支持されるドアも、ケース本体に対して位置ずれし、ドアが斜めに傾いでしまうことがある。
【０００５】
本発明の目的は、ケース本体に対する補強部材の位置精度を向上でき、従って、補強部材に固定されるヒンジと、ヒンジで支持されるドアを、ケース本体に対して正確に取り付けることができる冷蔵庫を提供することにある。
【課題を解決するための手段】
【０００６】
本発明に係る冷蔵庫では、ケース本体１の前面に、上下一対のヒンジ２７・２８で揺動開閉自在に支持されるドア３を設ける。各ヒンジ２７・２８を、ケース本体１の前端壁２２の外面に配置して、前端壁２２の内面の上下に固定した補強部材２３・２４にねじ２９で締結する。補強部材２３・２４は、前端壁２２の内面に接合される締結座３４・３９を備えている。前端壁２２および締結座３４・３９に、それぞれ複数のリベット穴３６・３５を形成する。前端壁２２の外面側から両リベット穴３６・３５に挿通した複数個のブラインドリベット２５で、前端壁２２と締結座３４・３９とを締結して、補強部材２３・２４のケース本体１に対する締結位置精度を高度化することを特徴とする。
【０００７】
ケース本体１を、外箱１１と、外箱１１内に間隔をあけて収容される内箱１２と、両箱１１・１２の間の充填空間１４に充填される断熱材１３とで構成する。前端壁２２を、外箱１１の両側壁４９・５０の前端に設けた縦枠５５・５５と、縦枠５５・５５の上端どうしおよび下端どうしを繋ぐ上下一対の横枠５２・５２とで構成する。縦枠５５と横枠５２とは、それぞれの側端縁に設けた接合縁６１・６２どうしが前後に重なる状態で接合されて、両枠５２・５５の外面が面一になる状態で隣接している。前後に重なる接合縁６１・６２と締結座３４・３９とを、ブラインドリベット２５で締結する。
【０００８】
下側の補強部材２４は、脚体７をねじ込むためのねじ穴４１を備えた底壁３８と、前端壁２２の内面に接合される締結座３９と、底壁３８の後端から上向きに折り曲げられた食込片４０とを一体に備えている。補強部材２４は、その外面が断熱材１３で移動不能に覆われている。脚体７に設けたねじ軸４２を、ケース本体１の下面側から補強部材２４のねじ穴４１にねじ込んで、脚体７をケース本体１に固定する。
【０００９】
上側のヒンジ２７の締結座３１を、上側の補強部材２３の下半部にねじ２９で締結し、締結座３１より上側の領域で補強部材２３の締結座３４を前端壁２２にブラインドリベット２５で締結する。上側のヒンジ２７のヒンジベース３０、およびブラインドリベット２５の締結頭部２６の外面を、本体ケース１の上面から前側へ張り出した天板８の化粧枠部３３で覆う。下側のヒンジ２８の締結座３１を、ブラインドリベット２５の締結頭部２６の外面を覆う状態で、下側の補強部材２４の締結座３９にねじ２９で締結する。ヒンジ２８の締結座３１に、ブラインドリベット２５の締結頭部２６との接触を避ける逃げ凹部４３を形成する。
【発明の効果】
【００１０】
本発明では、ケース本体１の前端壁２２の外面に、ドア３を揺動開閉自在に支持する上下一対のヒンジ２７・２８を配置し、これら両ヒンジ２７・２８を、前端壁２２の内面の上下に固定した補強部材２３・２４にねじ２９で締結した。また、前端壁２２と補強部材２３・２４の締結座３４・３９とは、複数個のブラインドリベット２５でかしめ固定するようにした。このように、前端壁２２と締結座３４・３９をブラインドリベット２５でかしめ固定すると、リベット軸の内端部が塑性変形されるのと同時に、リベット軸を拡径状に変形させてリベット穴３６・３５に密着させることができる。従って、前端壁２２と締結座３４・３９の締結位置精度を高度化して、補強部材２３・２４に締結されるヒンジ２７・２８と、ヒンジ２７・２８で支持されるドア３を、ケース本体１に対して正確に組み付けることができる。
【００１１】
ケース本体１の前端壁２２を、外箱１１の両側壁４９・５０の前端に設けた縦枠５５・５５と、上下一対の横枠５２・５２とで構成し、縦枠５５と横枠５２の接合縁６１・６２どうしを補強部材２３・２４と共にブラインドリベット２５で締結する。このように、前端壁２２と締結座３４・３９を締結するブラインドリベット２５を利用して縦枠５５と横枠５２を締結すると、接合縁６１・６２どうしを締結し、次いで接合縁６１・６２と締結座３４・３９とを締結する場合に比べて、外箱１１と内箱１２の組立作業に要する手間を削減できる。また、接合縁６１・６２において前端壁２２の外面側を面一とするので、接合縁６１・６２を跨ぐ状態で配置されるヒンジ２７・２８の締結座３１を、前端壁２２の外面に密着する状態で的確に固定できる。
【００１２】
下側の補強部材２４に、前後に伸びる底壁３８と、底壁３８の後端から上向きに折り曲げられた食込片４０とを設けて、補強部材２４の外面全体を断熱材１３で覆うようにすると、補強部材２４がずれ動くのを断熱材１３で規制できる。従って、下側のヒンジ２８を介して補強部材２４に作用するドア３の重みによって、補強部材２４がずれ動いたり変形するのを確実に防止して、ヒンジ２８の位置が狂うのを解消できる。また、底壁３８に設けたねじ穴４１にねじ軸４２をねじ込んで、脚体７をケース本体１と一体化するので、ねじ軸４２をねじ込むための雌ねじ金具を別途用意する必要がなく、その分だけケース本体１の構成部品点数を減らすことができる。
【００１３】
上側のヒンジ２７のヒンジベース３０、およびブラインドリベット２５の締結頭部２６の外面を、本体ケース１の上面から前側へ張り出した天板８の化粧枠部３３で覆うと、ヒンジベース３０および締結頭部２６をユーザから見えないようにして、冷蔵庫のデザイン性を向上できる。同様に、下側のヒンジ２８の締結座３１を、ブラインドリベット２５の締結頭部２６の外面を覆う状態で、下側の補強部材２４の締結座３９に締結すると、締結頭部２６をユーザから見えないようにして、冷蔵庫のデザイン性を向上できる。ヒンジ２８の締結座３１を利用して締結頭部２６を覆うので、別にカバーなどを設ける場合に比べてコストを削減できる。ヒンジ２８の締結座３１に、締結頭部２６との接触を避ける逃げ凹部４３を形成するのは、締結座３１を前端壁２２の外面に密着させて、締結座３１を補強部材２４に対して確りと締結するためである。
【図面の簡単な説明】
【００１４】
【図１】本発明の実施例に係る冷蔵庫の要部の縦断側面図である。
【図２】冷蔵庫の正面図である。
【図３】冷蔵庫の要部の縦断正面図である。
【図４】図３におけるＡ−Ａ線断面図である。
【図５】図３におけるＢ−Ｂ線断面図である。
【図６】冷蔵庫の要部の縦断側面図である。
【図７】ケース本体の組立手順を示す斜視図である。
【図８】ケース本体の組立手順を示す斜視図である。
【図９】ケース本体の前面下部における組立手順を示す斜視図である。
【図１０】ケース本体の前面上部における組立手順を示す斜視図である。
【図１１】ヒンジとドアを取り付ける前のケース本体の正面図である。
【発明を実施するための形態】
【００１５】
（実施例）  図１から図１１は、本発明をコールドテーブル型の冷蔵庫に適用した実施例を示す。なお、本実施例における前後、左右、上下とは、図１および図２に示す交差矢印と、各矢印の近傍に表記した前後、左右、上下の表示に従う。
【００１６】
図２において冷蔵庫は、前面開口を除く周囲壁を断熱壁で形成した箱体からなるケース本体１を備える。ケース本体１の内部は冷蔵室２とされており、冷蔵室２の前面開口は観音開き構造の左右一対のドア３で開閉される。ドア３・３の揺動先端には、閉じ状態の両ドア３・３の間の隙間をシールするシール構造が設けられている。ケース本体１の一側には、冷凍機器を収容する機器収容部４が設けられており、機器収容部４の前面開口には、機器室パネル５がビスで取り外し可能に固定されている。機器室パネル５の上部には、冷凍機器の運転状態を制御する操作部６が配置されている。ケース本体１の底面の四隅と、機器収容部４の底面の一側端とには、ケース本体１および機器収容部４を支持する脚体７が設けられている。ケース本体１および機器収容部４の上面には天板８が設けてあり、この天板８は調理台等として使用できる。
【００１７】
図１に示すようにケース本体１は、ステンレス鋼板等の金属板からなる外箱１１および内箱１２と、発泡ウレタン等の発泡樹脂からなる断熱材１３とで構成される。外箱１１内に内箱１２が間隔を開けて収容されており、両箱１１・１２の間の充填空間１４に断熱材１３が発泡充填されている。外箱１１および内箱１２は、前面が開口する箱型に形成されており、外箱１１と内箱１２の開口縁が、合成樹脂製の接続枠１５によって接続されている。詳しくは、外箱１１および内箱１２の開口縁には、充填空間１４に向かって直角に折れ曲がる折曲部１６・１７が形成されており、両折曲部１６・１７の対向隙間を塞ぐように接続枠１５が装着されている。
【００１８】
図１および図３に示すように、外箱１１の前端壁２２は、冷蔵室２の前面開口を囲む四角枠状に形成されており、前端壁２２の四隅の内面には、外箱１１や内箱１２よりも肉厚の金属板からなる補強部材２３・２４が配置されている。各補強部材２３・２４は、ブラインドリベット（以下、単にリベットと記す。）２５で前端壁２２に締結されている。
【００１９】
各ドア３は、上下一対のヒンジ２７・２８で揺動開閉自在に支持されている。各ヒンジ２７・２８は、水平なヒンジベース３０と、ヒンジベース３０の後端を下向きに折り曲げて形成される締結座３１と、ヒンジベース３０の一方の面に突出形成された支軸３２とを一体に備えており、前端壁２２を介して補強部材２３・２４にねじ２９で締結してある。上側のヒンジ２７の支軸３２は下向きに、下側のヒンジ２８の支軸３２は上向きに設けられている。図１において符号１８は、前端壁２２の外面に取り付けられて、閉じ状態のドア３の後面に密着するパッキンである。
【００２０】
図３に示すように、上側のヒンジ２７の締結座３１の左右２個所がねじ２９で固定されるのに対し、下側のヒンジ２８の締結座３１は、上側のヒンジ２７の締結座３１よりも左右横長に形成されて、その左右３個所がねじ２９で固定されている。各締結座３１に設けられるねじ２９用の挿通穴は左右横長に形成されており、その形成範囲内で外箱１１に対するヒンジ２７・２８の左右位置を調整できる。図１に示すように、天板８の前端には、本体ケース１の上面から前側へ張り出して下向きに湾曲する化粧枠部３３が設けられている。上側のヒンジ２７のヒンジベース３０、および上側の補強部材２３を締結するリベット２５の締結頭部２６の外面は、化粧枠部３３で前方から覆われる。
【００２１】
図３および図４に示すように、上側のヒンジ２７が固定される補強部材２３は、前端壁２２の内面に接合される締結座３４を備えている。締結座３４の上半部には、リベット２５用の左右一対のリベット穴３５が設けられており、このリベット穴３５と、前端壁２２に設けたリベット穴３６とに、前端壁２２の外面側から２個のリベット２５を挿通して、締結座３４と前端壁２２とが締結されている。締結座３４の下半部には、ねじ２９用の４個のねじ穴が左右に並設されており、このうち２個のねじ穴にねじ２９がねじ込まれて、補強部材２３の締結座３４とヒンジ２７の締結座３１とが締結される。使用しないねじ穴を締結座３４に設けるのは、ケース本体１の左右で補強部材２３を共通部品化するためである。右側の補強部材２３においては右側の２個のねじ穴にねじ２９が螺合され、左側の補強部材２３においては左側の２個のねじ穴にねじ２９が螺合される。
【００２２】
図５および図６に示すように、下側のヒンジ２８が固定される補強部材２４は、前後に長い水平な底壁３８と、底壁３８の前端から上向きに折り曲げられた締結座３９と、底壁３８の後端から上向きに折り曲げられた食込片４０とを一体に備えている。底壁３８は、外箱１１の下パネル４８の内面に沿って配置されており、その前後中央寄りに脚体７を取り付けるためのねじ穴４１を備えている。脚体７の上端面にはねじ軸４２が突設されており、このねじ軸４２を下パネル４８の下面側からねじ穴４１にねじ込んで、脚体７がケース本体１に固定してある。補強部材２４は、その外面全体が断熱材１３で移動不能に覆われており、食込片４０は断熱材１３の内部に食い込んで前後面および左右端面が断熱材１３で保持されている。
【００２３】
前端壁２２の内面に接合される締結座３９には、リベット２５用の２個のリベット穴３５が設けられており、このリベット穴３５と、前端壁２２に設けたリベット穴３６とに、前端壁２２の外面側から２個のリベット２５を挿通して、締結座３９と前端壁２２とが締結されている。また、締結座３９には、ねじ２９用の３個のねじ穴が設けられており、各ねじ穴にねじ２９がねじ込まれて、補強部材２４の締結座３９とヒンジ２８の締結座３１とが締結される。締結座３９に設けられるリベット穴３５およびねじ穴は、左右一列に並べて交互に配置されている。各リベット２５の締結頭部２６の外面は、ヒンジ２８の締結座３１によって前方から覆われており、ヒンジ２８の締結座３１には、締結頭部２６との接触を避ける左右に長い逃げ凹部４３が形成されている（図１参照）。
【００２４】
以下では、ケース本体１の組立手順について説明する。図７および図８に示すように、外箱１１は、上パネル４７、下パネル４８、左パネル（側壁）４９、右パネル（側壁）５０、および後パネル５１の５枚のパネルと、上下一対の左右横長の横枠５２とで構成される。左右パネル４９・５０の四辺には、上下一対のフランジ５３・５４と、前後一対の縦枠５５・５６とが内向きに形成されている。左パネル４９の上部には、機器収容部４に収容される冷凍機器と冷蔵室２とを連通する連通口５７が開設されている。
【００２５】
まず、上パネル４７と上側の横枠５２とを除く外箱１１の各部材を組み付けて一体化する。具体的には、図９に示すように、下パネル４８の前端右側のコーナー部に補強部材２４を載置し、補強部材２４の締結座３９の前面に下側の横枠５２を当てがい、横枠５２の前面側からリベット２５をリベット穴３６・３５に挿通して、横枠５２と締結座３９を締結する。このとき、横枠５２の右端縁に設けた接合縁６２が、補強部材２４の締結座３９の前面に設けた収容凹部６３に収容される（図５参照）。
【００２６】
次いで、右パネル５０の前側の縦枠５５の左端縁に設けた接合縁６１を、横枠５２の接合縁６２の前面に当てがい、両接合縁６１・６２と収容凹部６３に設けたリベット穴３６・３６・３５にリベット２５を挿通して、両接合縁６１・６２と締結座３９を締結する。これにより、右パネル５０、下側の横枠５２、および補強部材２４の三者が一体化される。下パネル４８は、右パネル５０の下フランジ５４の上面と、横枠５２の下端に設けた下フランジ６５（図１参照）の上面とで支持される。下パネル４８の前端左側のコーナー部においても、上記と同様の作業を行い、左パネル４９と横枠５２と補強部材２４を一体化する。図５に示すように、横枠５２の接合縁６２は、縦枠５５の接合縁６１の前後厚みの分だけ後方へ折り曲げてあり、両枠５２・５５の外面は面一になっている。
【００２７】
次に、後パネル５１を左右パネル４９・５０に組み付ける。詳しくは、図７および図８に示すように、左右パネル４９・５０の後側の縦枠５６と後パネル５１とをかしめ装置でかしめ固定する。その後、下パネル４８の上面の後端左右のコーナー部に取付具６６を固定する。取付具６６は、脚体７を取り付けるためのねじ穴４１を備えており、下側の補強部材２４と略同一の構成を有している。
【００２８】
上パネル４７と上側の横枠５２を除く外箱１１の組み付けが完了すると、図８に示すように、別途組み立てた内箱１２を、左右パネル４９・５０と後パネル５１で囲まれる空間内に収容する。このとき、下パネル４８や取付具６６の上面に、内箱１２の底面を支持する不図示のウレタンブロックを配置する。また、内箱１２の左面には、外箱１１の左パネル４９と同様に連通口６７が開設されており、両連通口５７・６７の開口縁の間には、発泡スチロール等からなる不図示の四角枠を配置する。
【００２９】
内箱１２の収容に前後して、図１０に示すように、上側の横枠５２を左右パネル４９・５０の前側の縦枠５５に組み付ける。詳しくは、横枠５２の後面に補強部材２３の締結座３４を当てがい、横枠５２の前面側からリベット２５をリベット穴３６・３５に挿通して、横枠５２と締結座３４を締結する。このとき、横枠５２の側端縁に設けた接合縁６２が、補強部材２３の締結座３４の前面に設けた収容凹部６３に収容される（図４参照）。収容凹部６３は、補強部材２３が左右対称になるように、締結座３４の左右両側に配置されている。右側の補強部材２３においては右側の収容凹部６３に接合縁６２が収容され、左側の補強部材２３においては左側の収容凹部６３に接合縁６２が収容される。
【００３０】
次いで、縦枠５５の側端縁に設けた接合縁６１の後面に、横枠５２の接合縁６２を当てがい、両接合縁６１・６２と収容凹部６３に設けたリベット穴３６・３６・３５にリベット２５を挿通して、両接合縁６１・６２と締結座３９を締結する。これにより、上側の横枠５２が左右パネル４９・５０に一体化される。図４に示すように、横枠５２の接合縁６２は、縦枠５５の接合縁６１の前後厚みの分だけ後方へ折り曲げてあり、両枠５２・５５の外面は面一になっている。上下一対の横枠５２・５２、および左右パネル４９・５０の縦枠５５・５５が、ケース本体１の前端壁２２を構成する。
【００３１】
図８に示すように上パネル４７を、左右パネル４９・５０の上フランジ５３の上面と、後パネル５１の上端に設けた上フランジ６９の上面と、上側の横枠５２の上端に設けた上フランジ６８（図１参照）の上面とに載置して、リベットで固定すると、外箱１１が完成する。このとき、内箱１２の上面に、上パネル４７を支持する不図示のウレタンブロックを配置する。外箱１１と内箱１２を接続枠１５で接続し、両箱１１・１２の間の充填空間１４に断熱材１３を充填すると、ケース本体１が完成する。
【００３２】
次いで、ドア３と上下のヒンジ２７・２８とをケース本体１に組み付ける。図１１に示すように、完成したケース本体１においては、補強部材２３・２４に設けたねじ２９用のねじ穴が、前端壁２２に設けた挿通穴を介して露出しており、これらのねじ穴にねじ２９をねじ込んで、ヒンジ２７・２８を補強部材２３・２４に締結することができる。具体的にはまず、下側のヒンジ２８の締結座３１を下側の補強部材２４に締結し、当該ヒンジ２８の支軸３２にドア３を連結する。次いで、上側のヒンジ２７の支軸３２をドア３に連結し、当該ヒンジ２７の締結座３１を上側の補強部材２３に締結すると、ドア３およびヒンジ２７・２８の組み付けが完了する。
【００３３】
上記実施例では、前端壁２２を構成する縦枠５５を、外箱１１の左右パネル４９・５０と一体に設けたが、縦枠５５と左右パネル４９・５０とは別体であってもよい。また、横枠５２は、外箱１１の上下パネル４７・４８と一体に設けることができる。支軸３２をドア３に設けて、ヒンジ２７・２８のヒンジベース３０で支軸３２を揺動自在に支持することができる。本発明は、１枚のドア３で冷蔵室２の前面開口を揺動開閉する冷蔵庫にも適用することができる。
【符号の説明】
【００３４】
１  ケース本体
３  ドア
１１  外箱
１２  内箱
１３  断熱材
２２  前端壁
２３・２４  補強部材
２５  ブラインドリベット
２７・２８  ヒンジ
２９  ねじ
３４・３９  補強部材の締結座
３５・３６  リベット穴
５２  横枠
５５  縦枠
６１・６２  接合縁
【図１】
2013083373.tif 000003
【図２】
2013083373.tif 000004
【図３】
2013083373.tif 000005
【図４】
2013083373.tif 000006
【図５】
2013083373.tif 000007
【図６】
2013083373.tif 000008
【図７】
2013083373.tif 000009
【図８】
2013083373.tif 000010
【図９】
2013083373.tif 000011
【図１０】
2013083373.tif 000012
【図１１】
2013083373.tif 000013